(57)【要約】【課題】設置されているＳ-ＧＷ及びＰ-ＧＷにおいてサポートされている「ＰＭＩＰｖ６」のバージョンが異なる場合であっても、サービスの提供の中断や通信確立の失敗を回避する。【解決手段】本発明の移動通信方法は、ＭＭＥ又はＳＧＳＮが、Ｓ-ＧＷ及びＰ-ＧＷにおいてサポートされている「ＰＭＩＰｖ６」のバージョンに係る情報を取得する工程Ａと、ＭＭＥ又はＳＧＳＮが、かかる「ＰＭＩＰｖ６」のバージョンに係る情報に基づいて、ＵＥのＰＤＮコネクションを確立するＳ-ＧＷ及びＰ-ＧＷを選択する工程Ｂと、ＭＭＥ又はＳＧＳＮが、選択したＳ-ＧＷに対して、ＵＥのＰＤＮコネクションを確立する際に用いる「ＰＭＩＰ」のバージョンに係る情報を含む「Ｃｒｅａｔｅ  Ｓｅｓｓｉｏｎ  Ｒｅｑｕｅｓｔ」を送信する工程Ｃとを有する。【選択図】図４
2012227664.tif 000002
【特許請求の範囲】
【請求項１】
移動管理ノード又はパケット交換機が、サービングゲートウェイ及びパケットデータネットワークゲートウェイにおいてサポートされている所定プロトコルのバージョンに係る情報を取得する工程Ａと、
前記移動管理ノード又はパケット交換機が、前記所定プロトコルのバージョンに係る情報に基づいて、移動局のパケットデータネットワークコネクションを確立するサービングゲートウェイ及びパケットデータネットワークゲートウェイを選択する工程Ｂと、
前記移動管理ノード又はパケット交換機が、選択した前記サービングゲートウェイに対して、選択した該サービングゲートウェイと選択した前記パケットデータネットワークゲートウェイとの間で前記移動局のパケットデータネットワークコネクションを確立することを要求するセッション生成要求信号を送信する工程Ｃとを有し、
前記セッション生成要求信号は、前記移動局のパケットデータネットワークコネクションを確立する際に用いる前記所定プロトコルのバージョンに係る情報を含むことを特徴とする移動通信方法。
【請求項２】
移動管理ノード又はパケット交換機が、サービングゲートウェイ及びパケットデータネットワークゲートウェイにおいてサポートされている所定プロトコルのバージョンに係る情報を取得する工程Ａと、
前記移動管理ノード又はパケット交換機が、前記所定プロトコルのバージョンに係る情報に基づいて、移動局の切り替え先のサービングゲートウェイを選択する工程Ｂと、
前記移動管理ノード又はパケット交換機が、前記切り替え先のサービングゲートウェイに対して、該切り替え先のサービングゲートウェイと前記パケットデータネットワークゲートウェイとの間で前記移動局のパケットデータネットワークコネクションを確立することを要求するセッション生成要求信号を送信する工程Ｃとを有し、
前記セッション生成要求信号は、前記移動局のパケットデータネットワークコネクションを確立する際に用いる前記所定プロトコルのバージョンに係る情報を含むことを特徴とする移動通信方法。
【請求項３】
前記工程Ａにおいて、前記移動管理ノード又はパケット交換機は、ＤＮＳサーバから前記所定プロトコルのバージョンに係る情報を取得することを特徴とする請求項１又は２に記載の移動通信方法。
【請求項４】
前記工程Ａにおいて、前記移動管理ノード又はパケット交換機は、ノード間死活監視信号によって前記所定プロトコルのバージョンに係る情報を取得することを特徴とする請求項１又は２に記載の移動通信方法。
【請求項５】
サービングゲートウェイ及びパケットデータネットワークゲートウェイにおいてサポートされている所定プロトコルのバージョンに係る情報を取得するように構成されている受信部と、
前記所定プロトコルのバージョンに係る情報に基づいて、移動局のパケットデータネットワークコネクションを確立するサービングゲートウェイ及びパケットデータネットワークゲートウェイを選択するように構成されている選択部と、
選択した前記サービングゲートウェイに対して、選択した該サービングゲートウェイと選択した前記パケットデータネットワークゲートウェイとの間で前記移動局のパケットデータネットワークコネクションを確立することを要求するセッション生成要求信号を送信するように構成されている送信部とを具備し、
前記セッション生成要求信号は、前記移動局のパケットデータネットワークコネクションを確立する際に用いる前記所定プロトコルのバージョンに係る情報を含むことを特徴とする移動管理ノード。
【請求項６】
サービングゲートウェイ及びパケットデータネットワークゲートウェイにおいてサポートされている所定プロトコルのバージョンに係る情報を取得するように構成されている受信部と、
前記所定プロトコルのバージョンに係る情報に基づいて、移動局の切り替え先のサービングゲートウェイを選択するように構成されている選択部と、
前記切り替え先のサービングゲートウェイに対して、該切り替え先のサービングゲートウェイと前記パケットデータネットワークゲートウェイとの間で前記移動局のパケットデータネットワークコネクションを確立することを要求するセッション生成要求信号を送信するように構成されている送信部とを具備し、
前記セッション生成要求信号は、前記移動局のパケットデータネットワークコネクションを確立する際に用いる前記所定プロトコルのバージョンに係る情報を含むことを特徴とする移動管理ノード。
【請求項７】
前記受信部は、ＤＮＳサーバから前記所定プロトコルのバージョンに係る情報を取得するように構成されていることを特徴とする請求項５又は６に記載の移動管理ノード。
【請求項８】
前記受信部は、ノード間死活監視信号によって前記所定プロトコルのバージョンに係る情報を取得するように構成されていることを特徴とする請求項５又は６に記載の移動管理ノード。
【請求項９】
サービングゲートウェイ及びパケットデータネットワークゲートウェイにおいてサポートされている所定プロトコルのバージョンに係る情報を取得するように構成されている受信部と、
前記所定プロトコルのバージョンに係る情報に基づいて、移動局のパケットデータネットワークコネクションを確立するサービングゲートウェイ及びパケットデータネットワークゲートウェイを選択するように構成されている選択部と、
選択した前記サービングゲートウェイに対して、選択した該サービングゲートウェイと選択した前記パケットデータネットワークゲートウェイとの間で前記移動局のパケットデータネットワークコネクションを確立することを要求するセッション生成要求信号を送信するように構成されている送信部とを具備し、
前記セッション生成要求信号は、前記移動局のパケットデータネットワークコネクションを確立する際に用いる前記所定プロトコルのバージョンに係る情報を含むことを特徴とするパケット交換機。
【請求項１０】
サービングゲートウェイ及びパケットデータネットワークゲートウェイにおいてサポートされている所定プロトコルのバージョンに係る情報を取得するように構成されている受信部と、
前記所定プロトコルのバージョンに係る情報に基づいて、移動局の切り替え先のサービングゲートウェイを選択するように構成されている選択部と、
前記切り替え先のサービングゲートウェイに対して、該切り替え先のサービングゲートウェイと前記パケットデータネットワークゲートウェイとの間で前記移動局のパケットデータネットワークコネクションを確立することを要求するセッション生成要求信号を送信するように構成されている送信部とを具備し、
前記セッション生成要求信号は、前記移動局のパケットデータネットワークコネクションを確立する際に用いる前記所定プロトコルのバージョンに係る情報を含むことを特徴とするパケット交換機。
【請求項１１】
前記受信部は、ＤＮＳサーバから前記所定プロトコルのバージョンに係る情報を取得するように構成されていることを特徴とする請求項９又は１０に記載のパケット交換機。
【請求項１２】
前記受信部は、ノード間死活監視信号によって前記所定プロトコルのバージョンに係る情報を取得するように構成されていることを特徴とする請求項９又は１０に記載のパケット交換機。
【発明の詳細な説明】
【技術分野】
【０００１】
本発明は、移動通信方法、移動管理ノード及びパケット交換機に関する。
【背景技術】
【０００２】
図９（ａ）に示すように、Ｒｅｌｅａｓｅ-８に準拠しているＥＰＣ（Ｅｖｏｌｏｖｅｄ  Ｐａｃｋｅｔ  Ｃｏｒｅ）ネットワークにおいて用いられる「ＰＭＩＰｖ６（Ｐｒｏｘｙ  Ｍｏｂｉｌｅ  ＩＰ  ｖｅｒｓｉｏｎ  ６）」のプロトコルスタックは、「ｄｒａｆｔ-ｉｅｔｆ-ｎｅｔｌｍｍ-ｐｍｉｐ６-ｉｐｖ４-ｓｕｐｐｏｒｔ-０５」を参照するように規定されている（非特許文献１参照）。以下、かかる「ＰＭＩＰｖ６」について「Ｖｅｒ１  ＰＭＩＰ（バージョン１のＰＭＩＰ）」と呼ぶ。
【０００３】
具体的には、「Ｖｅｒ１  ＰＭＩＰ」のプロトコルスタックでは、「ＩＰｖ６（Ｉｎｔｅｒｎｅｔ  Ｐｒｏｔｏｃｏｌ  ｖｅｒｓｉｏｎ  ６）」ヘッダが必須であり、「ＵＤＰ（Ｕｓｅｒ  Ｄａｔａｇｒａｍ  Ｐｒｏｔｏｃｉｌ）」ヘッダはオプションとなっている。
【０００４】
一方、図９（ｂ）に示すように、Ｒｅｌｅａｓｅ-９に準拠しているＥＰＣネットワークにおいて用いられる「ＰＭＩＰｖ６」のプロトコルスタックは、「ＩＥＴＦ  ＲＦＣ５８４４」を参照するように規定されている（非特許文献２、非特許文献３参照）。以下、かかる「ＰＭＩＰｖ６」について「Ｖｅｒ２  ＰＭＩＰ（バージョン２のＰＭＩＰ）」と呼ぶ。
【０００５】
具体的には、「Ｖｅｒ２  ＰＭＩＰ」のプロトコルスタックでは、「ＩＰｖ６」ヘッダは存在せず、「ＵＤＰ」ヘッダは必須となっている。
【先行技術文献】
【非特許文献】
【０００６】
【非特許文献１】３ＧＰＰ  ＴＳ２９.２７５  Ｖ８.８.０
【非特許文献２】３ＧＰＰ  ＴＳ２９.２７５  Ｖ９.４.０
【非特許文献３】ＩＥＦＲ  ＲＦＣ５８４４
【発明の概要】
【発明が解決しようとする課題】
【０００７】
上述のように、Ｒｅｌｅａｓｅ-８に準拠しているＥＰＣネットワークを構成する装置は、Ｒｅｌｅａｓｅ-９に準拠しているＥＰＣネットワークを構成する装置との間で通信を行うことができない。
【０００８】
そのため、Ｒｅｌｅａｓｅ-９の新機能に対応させるため、或いは、Ｒｅｌｅａｓｅ-９に準拠しているＥＰＣネットワークを構成する装置との間で通信を行うためには、設置済みのＲｅｌｅａｓｅ-８に準拠しているＥＰＣネットワークを構成する装置の機能を更新することが必要となる。
【０００９】
しかしながら、Ｒｅｌｅａｓｅ-８に準拠しているＥＰＣネットワークを構成する装置の機能を更新している期間中は、サービスの提供が中断してしまうという問題点があった。
【００１０】
或いは、Ｒｅｌｅａｓｅ-８に準拠しているＥＰＣネットワークに、新規に、Ｒｅｌｅａｓｅ-９に準拠している装置を導入している期間中は、通信を行うことができないという問題があった。
【００１１】
具体的には、図１０（ａ）に示す状態から、図１０（ｂ）に示す状態を経由して、図１０（ｃ）に示す状態に遷移するケースについて考える。
【００１２】
図１０（ａ）に示す状態では、エリア＃１を管理するＳ-ＧＷ（Ｓｅｒｖｉｎｇ  Ｇａｔｅｗａｙ、サービングゲートウェイ）＃１は、ＰＤＮ（Ｐａｃｋｅｔ  Ｄａｔａ  Ｎｅｔｗｏｒｋ）＃１に接続されているＰ-ＧＷ＃１（ＰＤＮ  Ｇａｔｅｗａｙ、パケットデータネットワークゲートウェイ）及びＰＤＮ＃２に接続されているＰ-ＧＷ＃２との間で、「Ｖｅｒ１  ＰＭＩＰ」を用いて、ＰＤＮコネクションを確立することができ、エリア＃２を管理するＳ-ＧＷ＃２は、ＰＤＮ＃１に接続されているＰ-ＧＷ＃１及びＰＤＮ＃２に接続されているＰ-ＧＷ＃２との間で、「Ｖｅｒ１  ＰＭＩＰ」を用いて、ＰＤＮコネクションを確立することができる。
【００１３】
また、図１０（ｃ）に示す状態では、エリア＃１を管理するＳ-ＧＷ＃１は、ＰＤＮ＃１に接続されているＰ-ＧＷ＃１及びＰＤＮ＃２に接続されているＰ-ＧＷ＃２との間で、「Ｖｅｒ２  ＰＭＩＰ」を用いて、ＰＤＮコネクションを確立することができ、エリア＃２を管理するＳ-ＧＷ＃２は、ＰＤＮ＃１に接続されているＰ-ＧＷ＃１及びＰＤＮ＃２に接続されているＰ-ＧＷ＃２との間で、「Ｖｅｒ２  ＰＭＩＰ」を用いて、ＰＤＮコネクションを確立することができる。
【００１４】
しかしながら、図１０（ｂ）に示す状態では、Ｓ-ＧＷ＃１及びＰ-ＧＷ＃１は、「Ｖｅｒ１  ＰＭＩＰ」のみをサポートしており、Ｓ-ＧＷ＃２及びＰ-ＧＷ＃２は、「Ｖｅｒ２  ＰＭＩＰ」のみをサポートしているため、Ｓ-ＧＷ＃１は、Ｐ-ＧＷ＃２との間で、ＰＤＮコネクションを確立することができず、Ｓ-ＧＷ＃２は、Ｐ-ＧＷ＃１との間で、ＰＤＮコネクションを確立することができないという問題点があった。
【００１５】
そこで、本発明は、上述の課題に鑑みてなされたものであり、設置されているＳ-ＧＷ及びＰ-ＧＷにおいてサポートされている「ＰＭＩＰｖ６」のバージョンが異なる場合であっても、サービスの提供の中断や通信確立の失敗を回避することができる移動通信方法、移動管理ノード及びパケット交換機を提供することを目的とする。
【課題を解決するための手段】
【００１６】
本発明の第１の特徴は、移動通信方法であって、移動管理ノード又はパケット交換機が、サービングゲートウェイ及びパケットデータネットワークゲートウェイにおいてサポートされている所定プロトコルのバージョンに係る情報を取得する工程Ａと、前記移動管理ノード又はパケット交換機が、前記所定プロトコルのバージョンに係る情報に基づいて、移動局のパケットデータネットワークコネクションを確立するサービングゲートウェイ及びパケットデータネットワークゲートウェイを選択する工程Ｂと、前記移動管理ノード又はパケット交換機が、選択した前記サービングゲートウェイに対して、選択した該サービングゲートウェイと選択した前記パケットデータネットワークゲートウェイとの間で前記移動局のパケットデータネットワークコネクションを確立することを要求するセッション生成要求信号を送信する工程Ｃとを有し、前記セッション生成要求信号は、前記移動局のパケットデータネットワークコネクションを確立する際に用いる前記所定プロトコルのバージョンに係る情報を含むことを要旨とする。
【００１７】
本発明の第２の特徴は、移動通信方法であって、移動管理ノード又はパケット交換機が、サービングゲートウェイ及びパケットデータネットワークゲートウェイにおいてサポートされている所定プロトコルのバージョンに係る情報を取得する工程Ａと、前記移動管理ノード又はパケット交換機が、前記所定プロトコルのバージョンに係る情報に基づいて、移動局の切り替え先のサービングゲートウェイを選択する工程Ｂと、前記移動管理ノード又はパケット交換機が、前記切り替え先のサービングゲートウェイに対して、該切り替え先のサービングゲートウェイと前記パケットデータネットワークゲートウェイとの間で前記移動局のパケットデータネットワークコネクションを確立することを要求するセッション生成要求信号を送信する工程Ｃとを有し、前記セッション生成要求信号は、前記移動局のパケットデータネットワークコネクションを確立する際に用いる前記所定プロトコルのバージョンに係る情報を含むことを要旨とする。
【００１８】
本発明の第３の特徴は、移動管理ノードであって、サービングゲートウェイ及びパケットデータネットワークゲートウェイにおいてサポートされている所定プロトコルのバージョンに係る情報を取得するように構成されている受信部と、前記所定プロトコルのバージョンに係る情報に基づいて、移動局のパケットデータネットワークコネクションを確立するサービングゲートウェイ及びパケットデータネットワークゲートウェイを選択するように構成されている選択部と、選択した前記サービングゲートウェイに対して、選択した該サービングゲートウェイと選択した前記パケットデータネットワークゲートウェイとの間で前記移動局のパケットデータネットワークコネクションを確立することを要求するセッション生成要求信号を送信するように構成されている送信部とを具備し、前記セッション生成要求信号は、前記移動局のパケットデータネットワークコネクションを確立する際に用いる前記所定プロトコルのバージョンに係る情報を含むことを要旨とする。
【００１９】
本発明の第４の特徴は、移動管理ノードであって、サービングゲートウェイ及びパケットデータネットワークゲートウェイにおいてサポートされている所定プロトコルのバージョンに係る情報を取得するように構成されている受信部と、前記所定プロトコルのバージョンに係る情報に基づいて、移動局の切り替え先のサービングゲートウェイを選択するように構成されている選択部と、前記切り替え先のサービングゲートウェイに対して、該切り替え先のサービングゲートウェイと前記パケットデータネットワークゲートウェイとの間で前記移動局のパケットデータネットワークコネクションを確立することを要求するセッション生成要求信号を送信するように構成されている送信部とを具備し、前記セッション生成要求信号は、前記所定プロトコルのバージョンに係る情報を含むことを要旨とする。
【００２０】
本発明の第５の特徴は、パケット交換機であって、サービングゲートウェイ及びパケットデータネットワークゲートウェイにおいてサポートされている所定プロトコルのバージョンに係る情報を取得するように構成されている受信部と、前記所定プロトコルのバージョンに係る情報に基づいて、移動局のパケットデータネットワークコネクションを確立するサービングゲートウェイ及びパケットデータネットワークゲートウェイを選択するように構成されている選択部と、選択した前記サービングゲートウェイに対して、選択した該サービングゲートウェイと選択した前記パケットデータネットワークゲートウェイとの間で前記移動局のパケットデータネットワークコネクションを確立することを要求するセッション生成要求信号を送信するように構成されている送信部とを具備し、前記セッション生成要求信号は、前記移動局のパケットデータネットワークコネクションを確立する際に用いる前記所定プロトコルのバージョンに係る情報を含むことを要旨とする。
【００２１】
本発明の第６の特徴は、パケット交換機であって、サービングゲートウェイ及びパケットデータネットワークゲートウェイにおいてサポートされている所定プロトコルのバージョンに係る情報を取得するように構成されている受信部と、前記所定プロトコルのバージョンに係る情報に基づいて、移動局の切り替え先のサービングゲートウェイを選択するように構成されている選択部と、前記切り替え先のサービングゲートウェイに対して、該切り替え先のサービングゲートウェイと前記パケットデータネットワークゲートウェイとの間で前記移動局のパケットデータネットワークコネクションを確立することを要求するセッション生成要求信号を送信するように構成されている送信部とを具備し、前記セッション生成要求信号は、前記移動局のパケットデータネットワークコネクションを確立する際に用いる前記所定プロトコルのバージョンに係る情報を含むことを要旨とする。
【発明の効果】
【００２２】
以上説明したように、本発明によれば、設置されているＳ-ＧＷ及びＰ-ＧＷにおいてサポートされている「ＰＭＩＰｖ６」のバージョンが異なる場合であっても、サービスの提供の中断や通信確立の失敗を回避することができる移動通信方法、移動管理ノード及びパケット交換機を提供することができる。
【図面の簡単な説明】
【００２３】
【図１】本発明の第１の実施形態に係る移動通信システムの全体構成図である。
【図２】本発明の第１の実施形態に係るＭＭＥ及びＳＧＳＮの機能ブロック図である。
【図３】本発明の第１の実施形態に係る移動通信システムの動作を示すシーケンス図である。
【図４】本発明の第１の実施形態に係る移動通信システムの動作を説明するための図である。
【図５】本発明の第１の実施形態に係る移動通信システムの動作を説明するための図である。
【図６】本発明の第１の実施形態に係る移動通信システムの動作を説明するための図である。
【図７】本発明の第１の実施形態に係る移動通信システムの動作を示すシーケンス図である。
【図８】本発明の第１の実施形態に係る移動通信システムの動作を示すシーケンス図である。
【図９】従来の移動通信システムにおいて用いられる「ＰＭＩＰｖ６」のプロトコルスタックを示す図である。
【図１０】従来の移動通信システムの動作を示すシーケンス図である。
【発明を実施するための形態】
【００２４】
（本発明の第１の実施形態に係る移動通信システム）
図１乃至図７を参照して、本発明の第１の実施形態に係る移動通信システムについて説明する。
【００２５】
図１に示すように、本実施形態に係る移動通信システムは、ＰＭＩＰｖ６が適用されているＥＰＣネットワークを含む移動通信システムである。
【００２６】
例えば、図１に示すように、本実施形態に係る移動通信システムは、ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）/ＧＥＲＡＮ（ＧＳＭ  ＥＤＧＥ  Ｒａｄｉｏ  Ａｃｃｅｓｓ  Ｎｅｔｗｏｒｋ）と、ＳＧＳＮ（Ｓｅｒｖｉｎｇ  ＧＰＲＳ  Ｓｕｐｐｏｒｔ  Ｎｏｄｅ、パケット交換機）＃１/＃２と、Ｅ-ＵＴＡＲＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）と、ＭＭＥ（Ｍｏｂｉｌｉｔｙ  Ｍａｎａｇｅｍｅｎｔ  Ｅｎｔｉｔｙ、移動管理ノード）＃１/＃２と、Ｓ-ＧＷ＃１/＃２と、Ｐ-ＧＷ＃１/＃２と、ＨＳＳ（Ｈｏｍｅ  Ｓｕｂｓｃｒｉｂｅｒ  Ｓｅｒｖｅｒ、加入者情報管理サーバ）と、ＤＮＳ（Ｄｏｍａｉｎ  Ｎａｍｅ  Ｓｙｓｔｅｍ）サーバと、ＰＣＲＦ（Ｐｏｌｉｃｙ  ａｎｄ  Ｃｈａｒｇｉｎｇ  Ｒｕｌｅｓ  Ｆｕｎｃｔｉｏｎ、ポリシー及び課金ルールサーバ）と、ＥＩＲ（Ｅｑｕｉｐｍｅｎｔ  Ｉｄｅｎｔｉｔｙ  Ｒｅｇｉｓｔｅｒ、装置識別情報登録サーバ）とを具備している。
【００２７】
ここで、ＵＴＲＡＮ/ＧＥＲＡＮには、ＲＮＣ（Ｒａｄｉｏ  Ｎｅｔｗｏｒｋ  Ｃｏｎｔｒｏｌｌｅｒ、無線回線制御局）＃１/＃２やＮｏｄｅＢ/ＢＳＳ（無線基地局）＃１/＃２が設けられており、Ｅ-ＵＴＲＡＮには、ｅＮｏｄｅＢ（無線基地局）＃１/＃２が設けられている。
【００２８】
なお、Ｓ-ＧＷ＃１/＃２及びＰ-ＧＷ＃１/＃２は、「Ｖｅｒ１  ＰＭＩＰ」のみをサポートしていてもよいし、「Ｖｅｒ２  ＰＭＩＰ」のみをサポートしていてもよいし、「Ｖｅｒ１  ＰＭＩＰ」及び「Ｖｅｒ２  ＰＭＩＰ」の双方をサポートしていてもよい。
【００２９】
図２に示すように、ＭＭＥ/ＳＧＳＮは、送信部１１と、受信部１２と、選択部１３とを具備している。
【００３０】
送信部１１は、ＵＥやｅＮｏｄｅＢ（又は、ＲＮＣ）やＳ-ＧＷやＰ-ＧＷやＨＳＳや他のＭＭＥ/ＳＧＳＮに対して、各種信号を送信するように構成されている。
【００３１】
受信部１２は、ＵＥやｅＮｏｄｅＢ（又は、ＲＮＣ）やＳ-ＧＷやＰ-ＧＷから、各種信号を受信するように構成されている。
【００３２】
また、受信部１２は、ＤＮＳサーバから、Ｓ-ＧＷ及びＰ-ＧＷにおいてサポートされている「ＰＭＩＰｖ６」のバージョンに係る情報（例えば、「Ｖｅｒ１  ＰＭＩＰ」或いは「Ｖｅｒ２  ＰＭＩＰ」）を取得するように構成されていてもよい。
【００３３】
或いは、受信部１２は、ノード間死活監視信号によって、Ｓ-ＧＷ及びＰ-ＧＷにおいてサポートされている「ＰＭＩＰｖ６」のバージョンに係る情報（例えば、「Ｖｅｒ１  ＰＭＩＰ」或いは「Ｖｅｒ２  ＰＭＩＰ」）を取得するように構成されていてもよい。
【００３４】
また、受信部１２が前記情報を取得する信号は、ノード間死活監視以外の信号（例えば、「Ｃｒｅａｔｅ  Ｓｅｓｓｉｏｎ  Ｒｅｓｐｏｎｓｅ」や「Ｍｏｄｉｆｙ  Ｂｅａｒｅｒ  Ｒｅｓｐｏｎｓｅ」等）であってもよい。
【００３５】
或いは、ＭＭＥは、事前の装置設定により、Ｓ-ＧＷ及びＰ-ＧＷにおいてサポートされている「ＰＭＩＰｖ６」のバージョンに係る情報（例えば、「Ｖｅｒ１  ＰＭＩＰ」或いは「Ｖｅｒ２  ＰＭＩＰ」）を取得するように構成されていてもよい。かかる情報は、選択部１３によって利用されてもよい。
【００３６】
選択部１３は、受信部１２によって受信された、あるいは事前設定された「ＰＭＩＰｖ６」のバージョンに係る情報に基づいて、ＵＥのＰＤＮコネクションを確立するＳ-ＧＷ及びＰ-ＧＷを選択するように構成されている。
【００３７】
ここで、選択部１３は、ＵＥのＰＤＮコネクションを確立する際に用いる「ＰＭＩＰｖ６」のバージョンを選択するように構成されている。
【００３８】
例えば、選択部１３は、選択したＳ-ＧＷ及びＰ-ＧＷが「Ｖｅｒ１  ＰＭＩＰ」又は「Ｖｅｒ２  ＰＭＩＰ」のみをサポートしている場合には、ＵＥのＰＤＮコネクションを確立する際に用いる「ＰＭＩＰｖ６」のバージョンとして、Ｓ-ＧＷ及びＰ-ＧＷの両方がサポートする「ＰＭＩＰｖ６」バージョン（「Ｖｅｒ１  ＰＭＩＰ」又は「Ｖｅｒ２  ＰＭＩＰ」）を選択するように構成されている。
【００３９】
一方、選択部１３は、選択したＳ-ＧＷ及びＰ-ＧＷが「Ｖｅｒ１  ＰＭＩＰ」及び「Ｖｅｒ２  ＰＭＩＰ」の両方をサポートしている場合には、ＵＥのＰＤＮコネクションを確立する際に用いる「ＰＭＩＰｖ６」のバージョンとして、「Ｖｅｒ２  ＰＭＩＰ」を選択するように構成されていてもよい。
【００４０】
また、選択部１３は、ＵＥの移動等に伴い、接続先のＳ-ＧＷを再選択するように構成されている。
【００４１】
ここで、選択部１３は、Ｐ-ＧＷで現在利用中の「ＰＭＩＰｖ６」のバージョンを考慮して、接続先のＳ-ＧＷを再選択するように構成されている。例えば、Ｐ-ＧＷが「Ｖｅｒ１  ＰＭＩＰ」のみをサポートしている場合、選択部１３は、Ｐ-ＧＷと同じバージョンの「ＰＭＩＰｖ６」をサポートするＳ-ＧＷを選択するように構成されている。
【００４２】
ここで、選択部１３は、ＵＥの切り替え先のＳ-ＧＷで用いる「ＰＭＩＰｖ６」のバージョンを選択するように構成されている。
【００４３】
例えば、選択部１３は、選択したＳ-ＧＷが「Ｖｅｒ１  ＰＭＩＰ」又は「Ｖｅｒ２  ＰＭＩＰ」のみをサポートしている場合には、ＵＥの切り替え先のＳ-ＧＷで用いる「ＰＭＩＰｖ６」のバージョンとして、「Ｖｅｒ１  ＰＭＩＰ」又は「Ｖｅｒ２  ＰＭＩＰ」を選択するように構成されている。
【００４４】
ここで、選択部１３は、Ｐ-ＧＷで現在利用中の「ＰＭＩＰｖ６」のバージョンを考慮して、接続先のＳ-ＧＷを再選択するように構成されている。例えば、Ｐ-ＧＷが「Ｖｅｒ１  ＰＭＩＰ」のみをサポートしている場合、選択部１３は、Ｓ-ＧＷが利用する「ＰＭＩＰｖ６」のバージョンとして「Ｖｅｒ１  ＰＭＩＰ」を選択する。
【００４５】
一方、選択部１３は、選択したＳ-ＧＷが「Ｖｅｒ１  ＰＭＩＰ」及び「Ｖｅｒ２  ＰＭＩＰ」の両方をサポートしている場合には、ＵＥの切り替え先のＳ-ＧＷ及びＰ-ＧＷで用いる「ＰＭＩＰｖ６」のバージョンとして、「Ｖｅｒ２  ＰＭＩＰ」を選択するように構成されていてもよい。
【００４６】
ここで、選択部１３は、上述のように、Ｐ-ＧＷで現在利用中の「ＰＭＩＰｖ６」のバージョンを考慮して、接続先のＳ-ＧＷを再選択するように構成されている。
【００４７】
例えば、Ｓ-ＧＷ＃２とＰ-ＧＷ＃２との間で「Ｖｅｒ２  ＰＭＩＰ」が用いられた状態で通信が行われている場合に、ＵＥが、「Ｖｅｒ１  ＰＭＩＰ」のみをサポートするＳ-ＧＷ＃１に対してハンドオーバする場合であっても、ハンドオーバ先のＳ-ＧＷ＃１において「Ｖｅｒ１  ＰＭＩＰ」を用いた通信を行うように変更するために、ＵＥの切り替え先のＳ-ＧＷ＃１で用いる「ＰＭＩＰｖ６」のバージョンとして、「Ｖｅｒ１  ＰＭＩＰ」を選択するように構成されている。
【００４８】
さらに、ＥＰＣネットワークでは、ＵＥが同時に複数のＰ-ＧＷと接続することが許容されており、「Ｍｕｌｔｉｐｌｅ  ＰＤＮ  Ｃｏｎｎｅｃｔｉｏｎ」と表現されるが、その場合、Ｓ-ＧＷとＰ-ＧＷとの間で用いられる「ＰＭＩＰｖ６」のバージョンが、Ｐ-ＧＷ毎に異なる可能性がある。
【００４９】
例えば、Ｓ-ＧＷ＃２とＰ-ＧＷ＃２との間及びＳ-ＧＷ＃２とＰ-ＧＷ＃３との間で２つの接続がある場合、Ｓ-ＧＷ＃２とＰ-ＧＷ＃２との間で適用される「ＰＭＩＰｖ６」のバージョンが「Ｖｅｒ２  ＰＭＩＰ」である一方、Ｓ-ＧＷ＃２とＰ-ＧＷ＃３との間で適用される「ＰＭＩＰｖ６」のバージョンが「Ｖｅｒ１  ＰＭＩＰ」となる場合である。
【００５０】
「Ｍｕｌｔｉｐｌｅ  ＰＤＮ  Ｃｏｎｎｅｃｔｉｏｎ」が起動され新たな接続を構築する際、選択部１３は、既に構築されているＳ-ＧＷとＰ-ＧＷとの間の接続で用いられている「ＰＭＩＰｖ６」のバージョンを考慮して、「ＰＭＩＰｖ６」のバージョンを決定する。
【００５１】
例えば、全てのＳ-ＧＷとＰ-ＧＷとの間の接続に、同一の「ＰＭＩＰｖ６」のバージョンを適用する等の動作が考えられる。
【００５２】
「Ｍｕｌｔｉｐｌｅ  ＰＤＮ  Ｃｏｎｎｅｃｔｉｏｎ」が起動されており、それぞれのＳ-ＧＷとＰ-ＧＷとの間で接続に用いられる「ＰＭＩＰｖ６」のバージョンが複数存在する場合から、接続先のＳ-ＧＷを切り替えるハンドオーバを行う場合、選択部１３は、ハンドオーバ後に構築されている各Ｓ-ＧＷとＰ-ＧＷの間の接続に用いられる「ＰＭＩＰｖ６」のバージョンを同一とすることもできる。
【００５３】
なお、送信部１１は、選択部１３によって選択されたＳ-ＧＷに対して、選択したＳ-ＧＷと選択したＰ-ＧＷとの間でＵＥのＰＤＮコネクションを確立することを要求する「Ｃｒｅａｔｅ  Ｓｅｓｓｉｏｎ  Ｒｅｑｕｅｓｔ（セッション生成要求信号）」を送信するように構成されていてもよい。
【００５４】
なお、かかる情報が送信されない場合、Ｓ-ＧＷは、自身がサポートする「ＰＭＩＰｖ６」のバージョンのうち、所定ロジック（例えば、事前に設定された優先バージョン情報）に基づき、適用する「ＰＭＩＰｖ６」のバージョンを選択する。
【００５５】
また、送信部１１は、選択部１３によって選択されたＳ-ＧＷに対して、切り替え先のＳ-ＧＷとＰ-ＧＷとの間でＵＥのＰＤＮコネクションを確立することを要求する「Ｃｒｅａｔｅ  Ｓｅｓｓｉｏｎ  Ｒｅｑｕｅｓｔ」を送信するように構成されている。
【００５６】
ここで、送信部１１は、選択部１３によって選択されたＳ-ＧＷに対して、「Ｃｒｅａｔｅ  Ｓｅｓｓｉｏｎ  Ｒｅｑｕｅｓｔ」によって、ＰＤＮコネクションを確立する際に用いる「ＰＭＩＰｖ６」のバージョンに係る情報を通知するように構成されている。
【００５７】
なお、かかるバージョンに係る情報は、通知されなくてもよく、かかる場合、Ｓ-ＧＷは、自身がサポートする「ＰＭＩＰｖ６」のバージョンのうち、所定ロジック（例えば、事前に設定された優先バージョン情報）に基づき、適用する「ＰＭＩＰｖ６」のバージョンを選択する。
【００５８】
以下、図３乃至図５を参照して、本実施形態に係る移動通信システムにおいてＵＥのＰＤＮコネクションを確立する際の動作の一例について説明する。
【００５９】
図３に示すように、ステップＳ１００１において、ＵＥは、ｅＮｏｄｅＢに対して、「Ａｔｔａｃｈ  Ｒｅｑｕｅｓｔ」を送信し、ステップＳ１００２において、ｅＮｏｄｅＢは、ｅＮｏｄｅＢを管理するＭＭＥ＃１に対して、「Ａｔｔａｃｈ  Ｒｅｑｕｅｓｔ」を送信する。
【００６０】
ステップＳ１００３において、ＭＭＥ＃１は、ＭＭＥ＃２に対して、「Ｉｄｅｎｔｉｆｉｃａｔｉｏｎ  Ｒｅｑｕｅｓｔ」を送信し、ステップＳ１００４において、ＭＭＥ＃２は、ＭＭＥ＃１に対して、「Ｉｄｅｎｔｉｆｉｃａｔｉｏｎ  Ｒｅｓｐｏｎｓｅ」を送信する。
【００６１】
ステップＳ１００４ａにおいて、ＭＭＥ＃１は、ＵＥに対して、「Ｉｄｅｎｔｉｔｙ  Ｒｅｑｕｅｓｔ」を送信し、ステップＳ１００４ｂにおいて、ＵＥは、ＭＭＥ＃１に対して、「Ｉｄｅｎｔｉｔｙ  Ｒｅｓｐｏｎｓｅ」を送信する。
【００６２】
ステップＳ１００５ａにおいて、ＵＥとＭＭＥ＃１とＨＳＳとの間で、「Ａｕｔｈｅｎｔｉｃａｔｉｏｎ/Ｓｅｃｕｒｉｔｙ」処理が行われ、ステップＳ１００５ｂにおいて、ＵＥとＭＭＥ＃１との間で、「Ｉｄｅｎｔｉｔｙ  Ｒｅｑｕｅｓｔ」及び「Ｉｄｅｎｔｉｔｙ  Ｒｅｓｐｏｎｓｅ」の送受信が行われ、ステップＳ１００５ｃにおいて、ＭＭＥ＃１とＥＩＲとの間で、「ＭＥ  Ｉｄｅｎｔｉｔｙ  Ｃｈｅｃｋ」処理が行われる。
【００６３】
ステップＳ１００６ａにおいて、ＭＭＥ＃１は、ＵＥに対して、「Ｃｉｐｈｅｒｅｄ  Ｏｐｔｉｏｎｓ  Ｒｅｑｕｅｓｔ」を送信し、ステップＳ１００６ｂにおいて、ＵＥは、ＭＭＥ＃１に対して、「Ｃｉｐｈｅｒｅｄ  Ｏｐｔｉｏｎｓ  Ｒｅｓｐｏｎｓｅ」を送信する。
【００６４】
ステップＳ１００７ａにおいて、ＭＭＥ＃１は、Ｓ-ＧＷを介して、Ｐ-ＧＷに対して、「Ｄｅｌｅｔｅ  Ｓｅｓｓｉｏｎ  Ｒｅｑｕｅｓｔ」を送信し、ステップＳ１００７ｂにおいて、「ＰＣＥＦ  Ｉｎｉｔｉａｔｅｄ  ＩＰ-ＣＡＮ  Ｓｅｓｓｉｏｎ  Ｔｅｒｍｉｎａｔｉｏｎ」処理が行われ、ステップＳ１００７ｃにおいて、Ｐ-ＧＷは、Ｓ-ＧＷを介して、ＭＭＥ＃１に対して、「Ｄｅｌｅｔｅ  Ｓｅｓｓｉｏｎ  Ｒｅｓｐｏｎｓｅ」を送信する。
【００６５】
ステップＳ１００８において、ＭＭＥ＃１は、ＨＳＳに対して、「Ｕｐｄａｔｅ  Ｌｏｃａｔｉｏｎ  Ｒｅｑｕｅｓｔ」を送信する。
【００６６】
ステップＳ１００９ａにおいて、ＨＳＳは、ＭＭＥ＃２に対して、「Ｃａｎｃｅｌ  Ｌｏｃａｔｉｏｎ」を送信し、ステップＳ１００９ｂにおいて、ＭＭＥ＃２は、ＨＳＳに対して、「Ｃａｎｃｅｌ  Ｌｏｃａｔｉｏｎ  Ａｃｋ」を送信する。
【００６７】
ステップＳ１０１０ａにおいて、ＭＭＥ＃２は、Ｓ-ＧＷを介して、Ｐ-ＧＷに対して、「Ｄｅｌｅｔｅ  Ｓｅｓｓｉｏｎ  Ｒｅｑｕｅｓｔ」を送信し、ステップＳ１０１０ｂにおいて、「ＰＣＥＦ  Ｉｎｉｔｉａｔｅｄ  ＩＰ-ＣＡＮ  Ｓｅｓｓｉｏｎ  Ｔｅｒｍｉｎａｔｉｏｎ」処理が行われ、ステップＳ１０１０ｃにおいて、Ｐ-ＧＷは、Ｓ-ＧＷを介して、ＭＭＥ＃２に対して、「Ｄｅｌｅｔｅ  Ｓｅｓｓｉｏｎ  Ｒｅｓｐｏｎｓｅ」を送信する。
【００６８】
ステップＳ１０１１において、ＨＳＳは、ＭＭＥ＃１に対して、「Ｕｐｄａｔｅ  Ｌｏｃａｔｉｏｎ  Ａｃｋ」を送信する。
【００６９】
ステップＳ１０１２において、ＭＭＥ＃１は、Ｓ-ＧＷ及びＰ-ＧＷにおいてサポートされている「ＰＭＩＰｖ６」のバージョンに係る情報（例えば、「Ｖｅｒ１  ＰＭＩＰ」或いは「Ｖｅｒ２  ＰＭＩＰ」）に基づいて、ＵＥのＰＤＮコネクションを確立するＳ-ＧＷ＃１及びＰ-ＧＷ＃１を選択し、選択したＳ-ＧＷ＃１に対して、「Ｃｒｅａｔｅ  Ｓｅｓｓｉｏｎ  Ｒｅｑｕｅｓｔ」を送信する。
【００７０】
なお、ＭＭＥ＃１は、Ｓ-ＧＷ＃１に対して、「Ｃｒｅａｔｅ  Ｓｅｓｓｉｏｎ  Ｒｅｑｕｅｓｔ」によって、ＵＥのＰＤＮコネクションを確立する際に用いる「ＰＭＩＰｖ６」のバージョンに係る情報を通知する。
【００７１】
ここで、ＭＭＥ＃１は、ＤＮＳサーバから、かかるＳ-ＧＷ及びＰ-ＧＷにおいてサポートされている「ＰＭＩＰｖ６」のバージョンに係る情報を取得してもよい。
【００７２】
具体的には、図４に示すように、ステップＳ１０１において、ＭＭＥ＃１は、ＤＮＳサーバに対して、所定のＡＰＮ（Ａｃｃｅｓｓ  Ｐｏｉｎｔ  Ｎａｍｅ）、例えば、「ｂｂｂ.ｎｅｔ.ｍｎｃ１０.ｍｃｃ４４０.３ｇｐｐｎｅｔｗｏｒｋｓ.ｏｒｇ」を有するＰＤＮに接続できるＰ-ＧＷ群を問い合わせるための「ＤＮＳ  ｑｕｅｒｙ」を送信する。
【００７３】
ステップＳ１０２において、ＤＮＳサーバは、ＭＭＥ＃１に対して、「ＤＮＳ  ｒｅｓｐｏｎｓｅ」によって、かかるＡＰＮ、例えば、「ｂｂｂ.ｎｅｔ.ｍｎｃ１０.ｍｃｃ４４０.３ｇｐｐｎｅｔｗｏｒｋｓ.ｏｒｇ」を有するＰＤＮに接続できるＰ-ＧＷ群名を通知する。
【００７４】
なお、かかるステップＳ１０１及びＳ１０２において、所定のバージョンの「ＰＭＩＰｖ６」、例えば、「Ｖｅｒ２  ＰＭＩＰ」をサポートしているＰ-ＧＷのみを選択するように「ＤＮＳ  ｑｕｅｒｙ」及び「ＤＮＳ  ｒｅｓｐｏｎｓｅ」が設定されていてもよい。
【００７５】
ステップＳ１０３において、ＭＭＥ＃１は、通知されたＰ-ＧＷ群名の中から、
「Ｏｒｄｅｒ」及び「Ｐｒｅｆｅｒｅｎｃｅ」に基づいて、ＤＮＳサーバに対して、１つのＰ-ＧＷ群を選択し、選択した群内のＰ-ＧＷのリストを問い合わせるための「ＤＮＳ  ｑｕｅｒｙ」を送信する。
【００７６】
ステップＳ１０４において、ＤＮＳサーバは、ＭＭＥ＃１に対して、「ＤＮＳ  ｒｅｓｐｏｎｓｅ」によって、上述のＰ-ＧＷのリストを通知する。ＤＮＳサーバは、かかるＰ-ＧＷリストにおいて、Ｐ-ＧＷ毎の「ＰＭＩＰｖ６」のバージョンに係る情報を通知してもよい。
【００７７】
ステップＳ１０５において、ＭＭＥ＃１は、通知されたＰ-ＧＷのリストの中から、トポロジー的に近い１つのＰ-ＧＷ、例えば、「ｔｏｐｏｎ.ｂｏａｒｄ１.ｇｗ２.ｋａｎｔｏ.ａａａ.ｎｅｔ」を選択する。
【００７８】
ここで、ＭＭＥ＃１は、トポロジー的に近いＰ-ＧＷが複数存在する場合には、「ｗｅｉｇｈｔ（負荷情報）」及び「ｐｒｉｏｒｉｔｙ（優先度情報）」に基づいて、トポロジー的に近い複数のＰ-ＧＷの中から、１つのＰ-ＧＷを選択してもよい。
【００７９】
また、ＭＭＥ＃１は、Ｓ-ＧＷ或いはＰ-ＧＷの「ＰＭＩＰｖ６」のバージョンに係る情報を考慮して、Ｐ-ＧＷを選択してもよい。
【００８０】
その後、ＭＭＥ＃１は、ＤＮＳサーバに対して、選択したＰ-ＧＷのＩＰアドレスを問い合わせるための「ＤＮＳ  ｑｕｅｒｙ」を送信する。
【００８１】
ステップＳ１０６において、ＤＮＳサーバは、ＭＭＥ＃１に対して、「ＤＮＳ  ｒｅｓｐｏｎｓｅ」によって、上述のＰ-ＧＷのＩＰアドレス、例えば、「１２７.１７２.３.２」を通知する。
【００８２】
以上、図４に示した「ＰＭＩＰｖ６」のバージョンに係る情報の取得は、Ｓ-ＧＷの選択手順においても同様の手順に基づいて行われてもよい。
【００８３】
或いは、ＭＭＥ＃１は、ノード間死活監視信号によって、かかるＳ-ＧＷ及びＰ-ＧＷにおいてサポートされている「ＰＭＩＰｖ６」のバージョンに係る情報を取得してもよい。
【００８４】
具体的には、図５に示すように、例えば、ステップ２０１において、Ｐ-ＧＷ＃１は、Ｓ-ＧＷ＃１に対して、「（ＰＭＩＰ）  ＨｅａｒｔＢｅａｔ」によって、自身が「Ｖｅｒ１  ＰＭＩＰ」及び「Ｖｅｒ２  ＰＭＩＰ」の両方をサポートしている旨を通知する。
【００８５】
ステップＳ２０２において、Ｓ-ＧＷ＃１は、ＭＭＥ＃１に対して、「（ＧＴＰｖ２）  Ｅｃｈｏ」によって、Ｐ-ＧＷ＃１が「Ｖｅｒ１  ＰＭＩＰ」及び「Ｖｅｒ２  ＰＭＩＰ」の両方をサポートしている旨、及び、自身が「Ｖｅｒ１  ＰＭＩＰ」のみをサポートしている旨を通知する。
【００８６】
また、ステップ２０３において、Ｐ-ＧＷ＃２は、Ｓ-ＧＷ＃２に対して、「（ＰＭＩＰ）  ＨｅａｒｔＢｅａｔ」によって、自身が「Ｖｅｒ２  ＰＭＩＰ」のみをサポートしている旨を通知する。
【００８７】
ステップＳ２０４において、Ｓ-ＧＷ＃２は、ＭＭＥ＃１に対して、「（ＧＴＰｖ２）  Ｅｃｈｏ」によって、Ｐ-ＧＷ＃１が「Ｖｅｒ１  ＰＭＩＰ」及び「Ｖｅｒ２  ＰＭＩＰ」の両方をサポートしている旨、及び、自身が「Ｖｅｒ２  ＰＭＩＰ」のみをサポートしている旨を通知する。
【００８８】
ステップＳ２０５において、ＭＭＥ＃１は、Ｓ-ＧＷ＃１及びＳ-ＧＷ＃２から受信した「ＰＭＩＰｖ６」のバージョンに係る情報を記憶する。
【００８９】
なお、ＭＭＥ＃１は、上述の「（ＰＭＩＰ）  ＨｅａｒｔＢｅａｔ」及び「（ＧＴＰｖ２）  Ｅｃｈｏ」等のノード間死活監視信号を活用する以外に、例えば、任意のＵＥに対するＡｔｔａｃｈやＰＤＮコネクション設定やＳ-ＧＷ変更を伴うモビリティ制御において、「ＰＭＩＰ」信号及び「ＧＴＰ」信号により、Ｐ-ＧＷ及びＳ-ＧＷにおける「ＰＭＩＰｖ６」のバージョンに係る情報を取得してもよい。
【００９０】
図３に戻り、ステップＳ１０１２ａにおいて、Ｓ-ＧＷ＃１とＰＣＲＦとの間で「Ｇａｔｅｗａｙ  Ｃｏｎｔｒｏｌ  Ｓｅｓｓｉｏｎ  Ｅｓｔａｂｌｉｓｈｍｅｎｔ」処理が行われる。
【００９１】
ステップＳ１０１３において、Ｓ-ＧＷ＃１は、Ｐ-ＧＷ＃１に対して、「Ｐｒｏｘｙ  Ｂｉｎｄｉｎｇ  Ｕｐｄａｔｅ」を送信し、ステップＳ１０１４において、「ＰＣＥＦ  Ｉｎｉｔｉａｔｅｄ  ＩＰ-ＣＡＮ  Ｓｅｓｓｉｏｎ  Ｅｓｔａｂｌｉｓｈｍｅｎｔ/Ｍｏｄｉｆｉｃａｔｉｏｎ」処理が行われ、ステップＳ１０１５において、Ｐ-ＧＷ＃１は、Ｓ-ＧＷ＃１に対して、「Ｐｒｏｘｙ  Ｂｉｎｄｉｎｇ  Ａｃｋ」を送信する。
【００９２】
ここで、Ｐ-ＧＷ＃１は、ＭＭＥ＃１によって選択された「ＰＭＩＰｖ６」のバージョンと異なるバージョンの「ＰＭＩＰｖ６」をサポートしている場合、Ｓ-ＧＷ＃１に対して、「Ｐｒｏｘｙ  Ｂｉｎｄｉｎｇ  Ａｃｋ」によって、Ｐ-ＧＷ＃１においてサポートされている「ＰＭＩＰｖ６」のバージョンに係る情報を通知してもよい。
【００９３】
ステップＳ１０１６ａにおいて、Ｐ-ＧＷ＃１は、Ｓ-ＧＷ＃１に対して、最初の下りリンクデータを送信し、ステップＳ１０１６ｂにおいて、Ｓ-ＧＷ＃１は、ＭＭＥ＃１に対して、「Ｃｒｅａｔｅ  Ｓｅｓｓｉｏｎ  Ｒｅｓｐｏｎｓｅ」を送信する。
【００９４】
ここで、Ｓ-ＧＷ＃１は、ＭＭＥ＃１に対して、「Ｃｒｅａｔｅ  Ｓｅｓｓｉｏｎ  Ｒｅｓｐｏｎｓｅ」によって、Ｓ-ＧＷ＃１及びＰ-ＧＷ＃１においてサポートされている「ＰＭＩＰｖ６」のバージョンに係る情報を通知してもよい。
【００９５】
なお、ＭＭＥ＃１は、「Ｃｒｅａｔｅ  Ｓｅｓｓｉｏｎ  Ｒｅｓｐｏｎｓｅ」によって通知されたＳ-ＧＷ＃１及びＰ-ＧＷ＃１においてサポートされている「ＰＭＩＰｖ６」のバージョンに係る情報について保持する。
【００９６】
ステップＳ１０１７において、ＭＭＥ＃１は、ｅＮｏｄｅＢに対して、「Ａｔｔａｃｈ  Ａｃｃｅｐｔ」を含む「Ｉｎｉｔｉａｌ  Ｃｏｎｔｅｘｔ  Ｓｅｔｕｐ  Ｒｅｑｕｅｓｔ」を送信する。
【００９７】
ステップＳ１０１８において、ｅＮｏｄｅＢは、ＵＥに対して、「ＲＲＣ  Ｃｏｎｎｅｃｔｉｏｎ  Ｒｅｃｏｎｆｉｇｕｒａｔｉｏｎ」を送信し、ステップＳ１０１９において、ＵＥは、ｅＮｏｄｅＢに対して、「ＲＲＣ  Ｃｏｎｎｅｃｔｉｏｎ  Ｒｅｃｏｎｆｉｇｕｒａｔｉｏｎ  Ｃｏｍｐｌｅｔｅ」を送信する。
【００９８】
ステップＳ１０２０において、ｅＮｏｄｅＢは、ＭＭＥ＃１に対して、「Ｉｎｉｔｉａｌ  Ｃｏｎｔｅｘｔ  Ｓｅｔｕｐ  Ｒｅｓｐｏｎｓｅ」を送信する。
【００９９】
ステップＳ１０２１において、ＵＥは、ｅＮｏｄｅＢに対して、「Ａｔｔａｃｈ  Ｃｏｍｐｌｅｔｅ」を含む「Ｄｉｒｅｃｔ  Ｔｒａｎｓｆｅｒ」を送信し、ステップＳ１０２２において、ｅＮｏｄｅＢは、ＭＭＥ＃１に対して、「Ａｔｔａｃｈ  Ｃｏｍｐｌｅｔｅ」を送信する。
【０１００】
ステップＳ１０２３ａにおいて、ＵＥは、Ｓ-ＧＷ＃１を介して、Ｐ-ＧＷ＃１に対して、最初の上りリンクデータを送信する。
【０１０１】
ステップＳ１０２３ｂにおいて、ＭＭＥ＃１は、Ｓ-ＧＷ＃１に対して、「Ｍｏｄｉｆｙ  Ｂｅａｒｅｒ  Ｒｅｑｕｅｓｔ」を送信し、ステップＳ１０２３ｃにおいて、Ｓ-ＧＷ＃１は、Ｐ-ＧＷ＃１に対して、「Ｍｏｄｉｆｙ  Ｂｅａｒｅｒ  Ｒｅｑｕｅｓｔ」を送信する。
【０１０２】
ステップＳ１０２３ｄにおいて、Ｐ-ＧＷ＃１は、Ｓ-ＧＷ＃１に対して、「Ｍｏｄｉｆｙ  Ｂｅａｒｅｒ  Ｒｅｓｐｏｎｓｅ」を送信し、ステップＳ１０２４において、Ｓ-ＧＷ＃１は、ＭＭＥ＃１に対して、「Ｍｏｄｉｆｙ  Ｂｅａｒｅｒ  Ｒｅｓｐｏｎｓｅ」を送信する。
【０１０３】
ステップＳ１０２５ａにおいて、Ｓ-ＧＷ＃１は、ＵＥに対して、最初の下りリンクデータを送信する。
【０１０４】
ステップＳ１０２５ｂにおいて、ＭＭＥ＃１は、ＨＳＳに対して、「Ｎｏｔｉｆｙ  Ｒｅｑｕｅｓｔ」を送信し、ステップＳ１０２５ｃにおいて、ＨＳＳは、ＭＭＥ＃１に対して、「Ｎｏｔｉｆｙ  Ｒｅｓｐｏｎｓｅ」を送信する。
【０１０５】
ここで、図６を参照して、設置済みのＲｅｌｅａｓｅ-８に準拠しているＥＰＣネットワークを構成する装置の機能を更新する動作について説明する。具体的には、図６（ａ）に示す状態から、図６（ｂ）に示す状態を経由して、図６（ｃ）に示す状態に遷移するケースについて考える。
【０１０６】
図６（ａ）に示す状態では、エリア＃１を管理するＳ-ＧＷ＃１は、ＰＤＮ＃１に接続されているＰ-ＧＷ＃１及びＰＤＮ＃２に接続されているＰ-ＧＷ＃２との間で、「Ｖｅｒ１  ＰＭＩＰ」を用いて、ＰＤＮコネクションを確立することができ、エリア＃２を管理するＳ-ＧＷ＃２は、ＰＤＮ＃１に接続されているＰ-ＧＷ＃１及びＰＤＮ＃２に接続されているＰ-ＧＷ＃２との間で、「Ｖｅｒ１  ＰＭＩＰ」を用いて、ＰＤＮコネクションを確立することができる。
【０１０７】
また、図６（ｂ）に示す状態では、Ｓ-ＧＷ＃１及びＰ-ＧＷ＃１において機能の更新が行われた後であっても、Ｓ-ＧＷ＃１及びＰ-ＧＷ＃１に対して「Ｖｅｒ２  ＰＭＩＰ」だけではなく「Ｖｅｒ１  ＰＭＩＰ」についてもサポートさせたままにしている。
【０１０８】
したがって、Ｓ-ＧＷ＃１は、Ｐ-ＧＷ＃１との間で、「Ｖｅｒ２  ＰＭＩＰ」を用いて、ＰＤＮコネクションを確立することができ、Ｐ-ＧＷ＃２との間で、「Ｖｅｒ１  ＰＭＩＰ」を用いて、ＰＤＮコネクションを確立することができ、Ｓ-ＧＷ＃２は、Ｐ-ＧＷ＃１及びＰ-ＧＷ＃２との間で、「Ｖｅｒ１  ＰＭＩＰ」を用いて、ＰＤＮコネクションを確立することができる。
【０１０９】
さらに、図６（ｃ）に示す状態では、Ｓ-ＧＷ＃２及びＰ-ＧＷ＃２においても機能の更新が行われたため、Ｓ-ＧＷ＃１は、Ｐ-ＧＷ＃１及びＰ-ＧＷ＃２との間で、「Ｖｅｒ２  ＰＭＩＰ」を用いて、ＰＤＮコネクションを確立することができ、Ｓ-ＧＷ＃２は、Ｐ-ＧＷ＃１及びＰ-ＧＷ＃２との間で、「Ｖｅｒ２  ＰＭＩＰ」を用いて、ＰＤＮコネクションを確立することができる。
【０１１０】
以下、図７を参照して、本実施形態に係る移動通信システムにおいてＵＥについての「Ｓ-ＧＷ  Ｃｈａｎｇｅ」における動作の一例について説明する。
【０１１１】
図７に示すように、ＵＥは、ステップＳ２００１において、「ＴＡＵ（Ｔｒａｃｋｉｎｇ  Ａｒｅａ  Ｕｐｄａｔｅ）  ｐｒｏｃｅｄｕｒｅ」を開始するトリガを検出すると、ステップＳ２００２において、ｅＮｏｄｅＢに対して、「ＴＡＵ  Ｒｅｑｕｅｓｔ」を送信する。
【０１１２】
ステップＳ２００３において、ｅＮｏｄｅＢは、ＭＭＥ＃１に対して、「ＴＡＵ  Ｒｅｑｕｅｓｔ」を送信する。
【０１１３】
ステップＳ２００４において、ＭＭＥ＃１は、ＳＧＳＮ＃１（或いは、ＭＭＥ＃２）に対して、「Ｃｏｎｔｅｘｔ  Ｒｅｑｕｅｓｔ」を送信し、ステップＳ２００５において、ＳＧＳＮ＃１は、ＭＭＥ＃１に対して、「Ｃｏｎｔｅｘｔ  Ｒｅｓｐｏｎｓｅ」を送信する。
【０１１４】
ここで、ＳＧＳＮ＃１（或いは、ＭＭＥ＃２）は、ＭＭＥ＃１に対して、「Ｃｏｎｔｅｘｔ  Ｒｅｓｐｏｎｓｅ」によって、自身が保持しているＳ-ＧＷ及びＰ-ＧＷにおいてサポートされている「ＰＭＩＰｖ６」のバージョンに係る情報（例えば、「Ｖｅｒ１  ＰＭＩＰ」或いは「Ｖｅｒ２  ＰＭＩＰ」）を通知する。
【０１１５】
ステップＳ２００６において、ＵＥとＭＭＥ＃１とＨＳＳとの間で、「Ａｕｔｈｅｎｔｉｃａｔｉｏｎ/Ｓｅｃｕｒｉｔｙ」処理が行われる。
【０１１６】
ＭＭＥ＃１は、ステップＳ２００７において、ＳＧＳＮ＃１に対して、「Ｃｏｎｔｅｘｔ  Ａｃｋｎｏｗｌｅｄｇｅ」を送信する。
【０１１７】
ステップＳ２００８において、ＭＭＥ＃１は、Ｓ-ＧＷ及びＰ-ＧＷにおいてサポートされている「ＰＭＩＰｖ６」のバージョンに係る情報（例えば、「Ｖｅｒ１  ＰＭＩＰ」或いは「Ｖｅｒ２  ＰＭＩＰ」）に基づいて、切り替え先のＳ-ＧＷ＃１を選択し、切り替え先のＳ-ＧＷ＃１に対して、「Ｃｒｅａｔｅ  Ｓｅｓｓｉｏｎ  Ｒｅｑｕｅｓｔ」を送信する。
【０１１８】
なお、ＭＭＥ＃１は、Ｓ-ＧＷ＃１に対して、「Ｃｒｅａｔｅ  Ｓｅｓｓｉｏｎ  Ｒｅｑｕｅｓｔ」によって、ＵＥのＰＤＮコネクションを確立する際に用いる「ＰＭＩＰｖ６」のバージョンに係る情報を通知する。
【０１１９】
ここで、ＭＭＥ＃１は、図４に示すように、ＤＮＳサーバから、かかるＳ-ＧＷ及びＰ-ＧＷにおいてサポートされている「ＰＭＩＰｖ６」のバージョンに係る情報を取得してもよい。
【０１２０】
或いは、ＭＭＥ＃１は、図５に示すように、ノード間死活監視信号によって、かかるＳ-ＧＷ及びＰ-ＧＷにおいてサポートされている「ＰＭＩＰｖ６」のバージョンに係る情報を取得してもよい。
【０１２１】
ステップＳ２００９において、Ｓ-ＧＷ＃１は、Ｐ-ＧＷ＃１に対して、「Ｐｒｏｘｙ  Ｂｉｎｄｉｎｇ  Ｕｐｄａｔｅ」を送信し、ステップＳ２００９ａにおいて、「ＰＣＥＦ  Ｉｎｉｔｉａｔｅｄ  ＩＰ-ＣＡＮ  Ｓｅｓｓｉｏｎ  Ｅｓｔａｂｌｉｓｈｍｅｎｔ/Ｍｏｄｉｆｉｃａｔｉｏｎ」処理が行われ、ステップＳ２０１０において、Ｐ-ＧＷ＃１は、Ｓ-ＧＷ＃１に対して、「Ｐｒｏｘｙ  Ｂｉｎｄｉｎｇ  Ａｃｋ」を送信する。
【０１２２】
ここで、Ｐ-ＧＷ＃１は、ＭＭＥ＃１によって選択された「ＰＭＩＰｖ６」のバージョンと異なるバージョンの「ＰＭＩＰｖ６」をサポートしている場合、Ｓ-ＧＷ＃１に対して、「Ｐｒｏｘｙ  Ｂｉｎｄｉｎｇ  Ａｃｋ」によって、Ｐ-ＧＷ＃１においてサポートされている「ＰＭＩＰｖ６」のバージョンに係る情報を通知してもよい。
【０１２３】
ステップＳ２０１１において、Ｓ-ＧＷ＃１は、ＭＭＥ＃１に対して、「Ｃｒｅａｔｅ  Ｓｅｓｓｉｏｎ  Ｒｅｓｐｏｎｓｅ」を送信する。
【０１２４】
ここで、Ｓ-ＧＷ＃１は、ＭＭＥ＃１に対して、「Ｃｒｅａｔｅ  Ｓｅｓｓｉｏｎ  Ｒｅｓｐｏｎｓｅ」によって、Ｓ-ＧＷ＃１及びＰ-ＧＷ＃１においてサポートされている「ＰＭＩＰｖ６」のバージョンに係る情報を通知してもよい。
【０１２５】
なお、ＭＭＥ＃１は、「Ｃｒｅａｔｅ  Ｓｅｓｓｉｏｎ  Ｒｅｓｐｏｎｓｅ」によって通知されたＳ-ＧＷ＃１及びＰ-ＧＷ＃１においてサポートされている「ＰＭＩＰｖ６」のバージョンに係る情報について保持する。
【０１２６】
ステップＳ２０１２において、ＭＭＥ＃１は、ＨＳＳに対して、「Ｕｐｄａｔｅ  Ｌｏｃａｔｉｏｎ  Ｒｅｑｕｅｓｔ」を送信し、ステップＳ２０１３において、ＨＳＳは、ＳＧＳＮ＃１に対して、「Ｃａｎｃｅｌ  Ｌｏｃａｔｉｏｎ」を送信し、ステップＳ２０１４において、ＳＧＳＮ＃１は、ＨＳＳに対して、「Ｃａｎｃｅｌ  Ｌｏｃａｔｉｏｎ  Ａｃｋ」を送信する。
【０１２７】
ステップＳ２０１５において、ＳＧＳＮ＃１は、ＲＮＣに対して、「Ｉｕ  Ｒｅｌｅａｓｅ  Ｃｏｍｍａｎｄ」を送信し、ステップＳ２０１６において、ＲＮＣは、ＳＧＳＮ＃１に対して、「Ｉｕ  Ｒｅｌｅａｓｅ  Ｃｏｍｐｌｅｔｅ」を送信する。
【０１２８】
ステップＳ２０１７において、ＨＳＳは、ＭＭＥ＃１に対して、「Ｕｐｄａｔｅ  Ｌｏｃａｔｉｏｎ  Ａｃｋ」を送信する。
【０１２９】
ステップＳ２０１８において、ＭＭＥ＃１は、ＳＧＳＮ＃２に対して、「Ｄｅｌｅｔｅ  Ｓｅｓｓｉｏｎ  Ｒｅｑｕｅｓｔ」を送信し、ステップＳ２０１９において、Ｓ-ＧＷ＃１は、Ｓ-ＧＷ＃１に対して、「Ｄｅｌｅｔｅ  Ｓｅｓｓｉｏｎ  Ｒｅｓｐｏｎｓｅ」を送信する。
【０１３０】
ステップＳ２０２０において、ＭＭＥ＃１は、ＵＥに対して、「ＴＡＵ  Ａｃｃｅｐｔ」を送信し、ステップＳ２０２１において、ＵＥは、ＭＭＥに対して、「ＴＡＵ  Ｃｏｍｐｌｅｔｅ」を送信する。
【０１３１】
なお、上述の例では、位置登録手順において、ＭＭＥ＃１が、ＳＧＳＮ＃１（或いは、ＭＭＥ＃２）から、Ｓ-ＧＷ及びＰ-ＧＷにおいてサポートされている「ＰＭＩＰｖ６」のバージョンに係る情報を取得していたが、かかる処理は、後述するように、ハンドオーバ手順における「Ｆｏｒｗａｒｄ  Ｒｅｌｏｃａｔｉｏｎ  Ｒｅｑｕｅｓｔ」又は「Ｆｏｒｗａｒｄ  Ｒｅｌｏｃａｔｉｏｎ  Ｒｅｓｐｏｎｓｅ」において実施されてもよい。
【０１３２】
かかる場合、上述のステップＳ２００８乃至Ｓ２０１１と同様の手順が実施されることで、ＭＭＥ＃１は、Ｓ-ＧＷ＃１及びＰ-ＧＷ＃１においてサポートされている「ＰＭＩＰｖ６」のバージョンに係る情報を取得してもよい。
【０１３３】
以下、図８を参照して、本実施形態に係る移動通信システムにおいてＵＥがＳ-ＧＷ＃１/ＭＭＥ＃１（或いは、ＳＧＳＮ＃１）/ｅＮｏｄｅＢ＃１（或いは、ＲＮＣ＃１）配下からＳ-ＧＷ＃２/ＭＭＥ＃２（或いは、ＳＧＳＮ＃２）/ｅＮｏｄｅＢ＃２（或いは、ＲＮＣ＃２）配下にハンドオーバする際の動作、すなわち、「Ｓ-ＧＷ  Ｃｈａｎｇｅ」における動作の一例について説明する。
【０１３４】
図８に示すように、ｅＮｏｄｅＢ＃１（或いは、ＲＮＣ＃１）は、ステップＳ３００１において、Ｓ１インターフェイスを介したハンドオーバを行うことを決定すると、ステップＳ３００２において、ＭＭＥ＃１（或いは、ＳＧＳＮ＃１）に対して、「Ｈａｎｄｏｖｅｒ  Ｒｅｑｕｉｒｅｄ」（或いは、Ｒｅｌｏｃａｔｉｏｎ  Ｒｅｑｕｉｒｅｄ）を送信する。
【０１３５】
ステップＳ３００３において、ＭＭＥ＃１（或いは、ＳＧＳＮ＃１）は、ＭＭＥ＃２（或いは、ＳＧＳＮ＃２）に対して、「Ｆｏｒｗａｒｄ  Ｒｅｌｏｃａｔｉｏｎ  Ｒｅｑｕｅｓｔ」を送信する。
【０１３６】
ここで、ＭＭＥ＃１（或いは、ＳＧＳＮ＃１）は、ＭＭＥ＃２（或いは、ＳＧＳＮ＃２）に対して、「Ｆｏｒｗａｒｄ  Ｒｅｌｏｃａｔｉｏｎ  Ｒｅｑｕｅｓｔ」によって、自身が保持しているＳ-ＧＷ及びＰ-ＧＷにおいてサポートされている「ＰＭＩＰｖ６」のバージョンに係る情報を通知してもよい。
【０１３７】
ステップＳ３００４において、ＭＭＥ＃２（或いは、ＳＧＳＮ＃２）は、Ｓ-ＧＷ及びＰ-ＧＷにおいてサポートされている「ＰＭＩＰｖ６」のバージョンに係る情報（例えば、「Ｖｅｒ１  ＰＭＩＰ」或いは「Ｖｅｒ２  ＰＭＩＰ」）に基づいて、ＵＥの切り替え先のＳ-ＧＷ＃２を選択し、選択したＳ-ＧＷ＃２に対して、「Ｃｒｅａｔｅ  Ｓｅｓｓｉｏｎ  Ｒｅｑｕｅｓｔ」を送信する。
【０１３８】
ここで、ＭＭＥ＃２（或いは、ＳＧＳＮ＃２）は、図４に示すように、ＤＮＳサーバから、かかるＳ-ＧＷ及びＰ-ＧＷにおいてサポートされている「ＰＭＩＰｖ６」のバージョンに係る情報を取得してもよい。
【０１３９】
或いは、ＭＭＥ＃２（或いは、ＳＧＳＮ＃２）は、図５に示すように、ノード間死活監視信号によって、かかるＳ-ＧＷ及びＰ-ＧＷにおいてサポートされている「ＰＭＩＰｖ６」のバージョンに係る情報を取得してもよい。
【０１４０】
なお、ＭＭＥ＃２（或いは、ＳＧＳＮ＃２）は、Ｓ-ＧＷ＃２に対して、「Ｃｒｅａｔｅ  Ｓｅｓｓｉｏｎ  Ｒｅｑｕｅｓｔ」によって、ＵＥのＰＤＮコネクションを確立する際に用いる「ＰＭＩＰｖ６」のバージョンに係る情報を通知する。
【０１４１】
ＭＭＥ＃２（或いは、ＳＧＳＮ＃２）は、現在のＵＥのＰＤＮコネクションで適用されている「ＰＭＩＰｖ６」のバージョンをサポートしているＳ-ＧＷを、Ｓ-ＧＷのプールから優先的に選択してもよい。
【０１４２】
また、複数のＵＥのＰＤＮコネクションが確立されている場合、ＭＭＥ＃２（或いは、ＳＧＳＮ＃２）は、全てのＰＤＮコネクションを継続して保持できるように、確立されている全てのＰＤＮコネクションで適用されている「ＰＭＩＰｖ６」のバージョンをサポートしているＳ-ＧＷを、Ｓ-ＧＷのプールから優先的に選択してもよい。
【０１４３】
ステップＳ３００４ａにおいて、Ｓ-ＧＷ＃２は、ＭＭＥ＃２（或いは、ＳＧＳＮ＃２）に対して、「Ｃｒｅａｔｅ  Ｓｅｓｓｉｏｎ  Ｒｅｓｐｏｎｓｅ」を送信する。
【０１４４】
ステップＳ３００５において、ＭＭＥ＃２（或いは、ＳＧＳＮ＃２）は、ｅＮｏｄｅＢ＃２（或いは、ＲＮＣ＃２）に対して、「Ｈａｎｄｏｖｅｒ  Ｒｅｑｕｅｓｔ」（或いは、Ｒｅｌｏｃａｔｉｏｎ  Ｒｅｑｕｅｓｔ）を送信し、ステップＳ３００５ａにおいて、ｅＮｏｄｅＢ＃２（或いは、ＲＮＣ＃２）は、ＭＭＥ＃２（或いは、ＳＧＳＮ＃２）に対して、「Ｈａｎｄｏｖｅｒ  Ｒｅｑｕｅｓｔ  Ａｃｋｎｏｗｌｅｄｇｅ」（或いは、Ｒｅｌｏｃａｔｉｏｎ  Ｒｅｑｕｅｓｔ Ａｃｋｎｏｗｌｅｄｇｅ）を送信する。
【０１４５】
ステップＳ３００６において、ＭＭＥ＃２（或いは、ＳＧＳＮ＃２）は、Ｓ-ＧＷ＃２に対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」を送信し、ステップＳ３００６ａにおいて、Ｓ-ＧＷ＃２は、ＭＭＥ＃２（或いは、ＳＧＳＮ＃２）に対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ」を送信する。
【０１４６】
ステップＳ３００７において、ＭＭＥ＃２（或いは、ＳＧＳＮ＃２）は、ＭＭＥ＃１（或いは、ＳＧＳＮ＃１）に対して、「Ｆｏｒｗａｒｄ  Ｒｅｌｏｃａｔｉｏｎ  Ｒｅｓｐｏｎｓｅ」を送信する。
【０１４７】
ここで、ＭＭＥ＃２（或いは、ＳＧＳＮ＃２）は、ＭＭＥ＃１（或いは、ＳＧＳＮ＃１）に対して、「Ｆｏｒｗａｒｄ  Ｒｅｌｏｃａｔｉｏｎ  Ｒｅｑｕｅｓｔ」によって、自身が保持しているＳ-ＧＷ及びＰ-ＧＷにおいてサポートされている「ＰＭＩＰｖ６」のバージョンに係る情報を通知してもよい。
【０１４８】
ステップＳ３００８において、ＭＭＥ＃１（或いは、ＳＧＳＮ＃１）は、Ｓ-ＧＷ＃１に対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」を送信し、ステップＳ３００８ａにおいて、Ｓ-ＧＷ＃１は、ＭＭＥ＃１（或いは、ＳＧＳＮ＃１）に対して、「Ｃｒｅａｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ」を送信する。
【０１４９】
ステップＳ３００９において、ＭＭＥ＃１（或いは、ＳＧＳＮ＃１）は、ｅＮｏｄｅＢ＃１（或いは、ＲＮＣ＃１）に対して、「Ｈａｎｄｏｖｅｒ  Ｃｏｍｍａｎｄ」（或いは、Ｒｅｌｏｃａｔｉｏｎ  Ｃｏｍｍａｎｄ）を送信し、ステップＳ３００９ａにおいて、ｅＮｏｄｅＢ＃１（或いは、ＲＮＣ＃１）は、ＵＥに対して、「Ｈａｎｄｏｖｅｒ  Ｃｏｍｍａｎｄ」を送信する。
【０１５０】
ステップＳ３０１０において、ｅＮｏｄｅＢ＃１（或いは、ＲＮＣ＃１）は、ＭＭＥ＃１（或いは、ＳＧＳＮ＃１）に対して、「ｅＮＢ  Ｓｔａｔｕｓ  Ｔｒａｎｓｆｅｒ」を送信し、ステップＳ３０１０ａにおいて、ＭＭＥ＃１（或いは、ＳＧＳＮ＃１）は、ＭＭＥ＃２（或いは、ＳＧＳＮ＃２）に対して、「Ｆｏｒｗａｒｄ  Ａｃｃｅｓｓ  Ｃｏｎｔｅｘｔ  Ｎｏｔｉｆｉｃａｔｉｏｎ」を送信し、ステップＳ３０１０ｂにおいて、ＭＭＥ＃２（或いは、ＳＧＳＮ＃２）は、ＭＭＥ＃１（或いは、ＳＧＳＮ＃１）に対して、「Ｆｏｒｗａｒｄ  Ａｃｃｅｓｓ  Ｃｏｎｔｅｘｔ  Ａｃｋｎｏｗｌｅｄｇｅ」を送信する。
【０１５１】
ステップＳ３０１０ｃにおいて、ＭＭＥ＃２（或いは、ＳＧＳＮ＃２）は、ｅＮｏｄｅＢ＃２（或いは、ＲＮＣ＃２）に対して、「ｅＮＢ  Ｓｔａｔｕｓ  Ｔｒａｎｓｆｅｒ」を送信する。
【０１５２】
ｅＮｏｄｅＢ＃１（或いは、ＲＮＣ＃１）は、ステップＳ３０１１ａにおいて、ｅＮｏｄｅＢ＃２（或いは、ＲＮＣ＃２）に対して、「Ｏｎｌｙ  ｆｏｒ  Ｄｉｒｅｃｔ  ｆｏｒｗａｒｄｉｎｇ  ｏｆ  ｄａｔａ」を送信し、ステップＳ３０１１ｂにおいて、Ｓ-ＧＷ＃１及びＳ-ＧＷ＃２を介して、ｅＮｏｄｅＢ＃２（或いは、ＲＮＣ＃２）に対して、「Ｏｎｌｙ  ｆｏｒ  Ｉｎｄｉｒｅｃｔ  ｆｏｒｗａｒｄｉｎｇ  ｏｆ  ｄａｔａ」を送信する。
【０１５３】
ここで、ＵＥは、ハンドオーバ元セルからデタッチし、ハンドオーバ先セルに同期する。
【０１５４】
ステップＳ３０１２において、ＵＥは、ｅＮｏｄｅＢ＃２（或いは、ＲＮＣ＃２）に対して、「Ｈａｎｄｏｖｅｒ  Ｃｏｎｆｉｒｍ」を送信し、ステップＳ３０１３において、ｅＮｏｄｅＢ＃２（或いは、ＲＮＣ＃２）は、ＭＭＥ＃２（或いは、ＳＧＳＮ＃２）に対して、「Ｈａｎｄｏｖｅｒ  Ｎｏｔｉｆｙ」（或いは、Ｒｅｌｏｃａｔｉｏｎ  Ｃｏｍｐｌｅｔｅ）を送信する。
【０１５５】
ステップＳ３０１４において、ＭＭＥ＃２（或いは、ＳＧＳＮ＃２）は、ＭＭＥ＃１（或いは、ＳＧＳＮ＃１）に対して、「Ｆｏｒｗａｒｄ  Ｒｅｌｏｃａｔｉｏｎ  Ｃｏｍｐｌｅｔｅ  Ｎｏｔｉｆｉｃａｔｉｏｎ」を送信し、ステップＳ３０１４ｂにおいて、ＭＭＥ＃１（或いは、ＳＧＳＮ＃１）は、ＭＭＥ＃２（或いは、ＳＧＳＮ＃２）に対して、「Ｆｏｒｗａｒｄ  Ｒｅｌｏｃａｔｉｏｎ  Ｃｏｍｐｌｅｔｅ  Ａｃｋｎｏｗｌｅｄｇｅ」を送信する。
【０１５６】
ステップＳ３０１５において、ＭＭＥ＃２（或いは、ＳＧＳＮ＃２）は、Ｓ-ＧＷ＃２に対して、「Ｍｏｄｉｆｙ  Ｂｅａｒｅｒ  Ｒｅｑｕｅｓｔ」を送信する。
【０１５７】
ステップＳ３０１６ａにおいて、Ｓ-ＧＷ＃２は、Ｐ-ＧＷ＃１に対して、「Ｐｒｏｘｙ  Ｂｉｎｄｉｎｇ  Ｕｐｄａｔｅ」を送信し、ステップＳ３０１６ｂにおいて、Ｐ-ＧＷ＃１は、Ｓ-ＧＷ＃２に対して、「Ｐｒｏｘｙ  Ｂｉｎｄｉｎｇ  Ａｃｋ」を送信する。
【０１５８】
ここで、Ｐ-ＧＷ＃１は、ＭＭＥ＃２（或いは、ＳＧＳＮ＃２）によって選択された「ＰＭＩＰｖ６」のバージョンと異なるバージョンの「ＰＭＩＰｖ６」をサポートしている場合、Ｓ-ＧＷ＃２に対して、「Ｐｒｏｘｙ  Ｂｉｎｄｉｎｇ  Ａｃｋ」によって、Ｐ-ＧＷ＃１においてサポートされている「ＰＭＩＰｖ６」のバージョンに係る情報を通知してもよい。
【０１５９】
ステップＳ３０１７において、Ｓ-ＧＷ＃２は、ＭＭＥ＃２（或いは、ＳＧＳＮ＃２）に対して、「Ｍｏｄｉｆｙ  Ｂｅａｒｅｒ  Ｒｅｓｐｏｎｓｅ」を送信する。
【０１６０】
ここで、Ｓ-ＧＷ＃２は、ＭＭＥ＃２（或いは、ＳＧＳＮ＃２）に対して、「Ｍｏｄｉｆｙ  Ｂｅａｒｅｒ  Ｒｅｓｐｏｎｓｅ」によって、Ｓ-ＧＷ＃２及びＰ-ＧＷ＃１においてサポートされている「ＰＭＩＰｖ６」のバージョンに係る情報を通知してもよい。
【０１６１】
なお、ＭＭＥ＃２（或いは、ＳＧＳＮ＃２）は、「Ｍｏｄｉｆｙ  Ｂｅａｒｅｒ  Ｒｅｓｐｏｎｓｅ」によって通知されたＳ-ＧＷ＃２及びＰ-ＧＷ＃１においてサポートされている「ＰＭＩＰｖ６」のバージョンに係る情報について保持する。
【０１６２】
ステップＳ３０１８において、「Ｔｒａｃｋｉｎｇ  Ａｒｅａ  Ｕｐｄａｔｅ」手順が行われる。
【０１６３】
ステップＳ３０１９ａにおいて、ＭＭＥ＃１（或いは、ＳＧＳＮ＃１）は、ｅＮｏｄｅＢ＃１（或いは、ＲＮＣ＃１）に対して、「ＵＥ  Ｃｏｎｔｅｘｔ  Ｒｅｌｅａｓｅ  Ｃｏｍｍａｎｄ」を送信し、ｅＮｏｄｅＢ＃１（或いは、ＲＮＣ＃１）は、ＭＭＥ＃１（或いは、ＳＧＳＮ＃１）に対して、「ＵＥ  Ｃｏｎｔｅｘｔ  Ｒｅｌｅａｓｅ  Ｃｏｍｐｌｅｔｅ」を送信する。
【０１６４】
ステップＳ３０１９ｃにおいて、ＭＭＥ＃１（或いは、ＳＧＳＮ＃１）は、Ｓ-ＧＷ＃１に対して、「Ｄｅｌｅｔｅ  Ｓｅｓｓｉｏｎ  Ｒｅｑｕｅｓｔ」を送信し、ステップＳ３０１９ｄにおいて、Ｓ-ＧＷ＃１は、ＭＭＥ＃１（或いは、ＳＧＳＮ＃１）に対して、「Ｄｅｌｅｔｅ  Ｓｅｓｓｉｏｎ  Ｒｅｓｐｏｎｓｅ」を送信する。
【０１６５】
ステップＳ３０２０ａにおいて、ＭＭＥ＃１（或いは、ＳＧＳＮ＃１）は、Ｓ-ＧＷ＃１に対して、「Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」を送信し、ステップＳ３０２０ｂにおいて、Ｓ-ＧＷ＃１は、ＭＭＥ＃１（或いは、ＳＧＳＮ＃１）に対して、「Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ」を送信する。
【０１６６】
ステップＳ３０２１ａにおいて、ＭＭＥ＃２（或いは、ＳＧＳＮ＃２）は、Ｓ-ＧＷ＃２に対して、「Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｑｕｅｓｔ」を送信し、ステップＳ３０２１ｂにおいて、Ｓ-ＧＷ＃２は、ＭＭＥ＃２（或いは、ＳＧＳＮ＃２）に対して、「Ｄｅｌｅｔｅ  Ｉｎｄｉｒｅｃｔ  Ｄａｔａ  Ｆｏｒｗａｒｄｉｎｇ  Ｔｕｎｎｅｌ  Ｒｅｓｐｏｎｓｅ」を送信する。
【０１６７】
なお、図８の各ステップにおける信号名称はＬＴＥ無線システムを想定して記載してあるが、これに限定されることなく、ＵＴＲＡＮ無線システム適用時において、ＬＴＥ無線システム適用時に対応する、同種の信号を適用してもよい。
【０１６８】
本発明の第１の実施形態に係る移動通信システムによれば、Ｒｅｌｅａｓｅ-９に準拠しているＥＰＣネットワークを構成する装置（Ｓ-ＧＷやＰ-ＧＷ）に、「Ｖｅｒ１  ＰＭＩＰ」及び「Ｖｅｒ２  ＰＭＩＰ」の両方のプロトコルスタックに対応させ、ＤＮＳサーバやノード間死活監視信号を用いて、サービス提供の中断や通信確立の失敗を回避して、機能の更新を行うことができる。
【０１６９】
また、本発明の第１の実施形態に係る移動通信システムによれば、Ｒｅｌｅａｓｅ-９に準拠しているＥＰＣネットワークを構成する装置（Ｓ-ＧＷやＰ-ＧＷ）に、「Ｖｅｒ１  ＰＭＩＰ」及び「Ｖｅｒ２  ＰＭＩＰ」の両方のプロトコルスタックに対応させ、「Ｐｒｏｘｙ  Ｂｉｎｄｉｎｇ  Ａｃｋ」や「Ｃｒｅａｔｅ  Ｓｅｓｓｉｏｎ  Ｒｅｓｐｏｎｓｅ」といったＰＤＮコネクション確立やＳ-ＧＷ切り替えの呼処理信号を用いて、上述のバージョンに係る情報について通知することができ、サービス提供の中断や通信確立の失敗を回避して、機能の更新を行うことができる。
【０１７０】
また、本発明の第１の実施形態に係る移動通信システムによれば、「Ｖｅｒ２  ＰＭＩＰ」を用いた通信を行っている場合に、「Ｖｅｒ１  ＰＭＩＰ」のみをサポートするＳ-ＧＷに対してハンドオーバする場合であっても、「Ｖｅｒ１  ＰＭＩＰ」を用いた通信を行うように変更し、サービスを継続することができる。
【０１７１】
以上に述べた本実施形態の特徴は、以下のように表現されていてもよい。
【０１７２】
本実施形態の第１の特徴は、移動通信方法であって、ＭＭＥ（移動管理ノード）又はＳＧＳＮ（パケット交換機）が、Ｓ-ＧＷ（サービングゲートウェイ）及びＰ-ＧＷ（パケットデータネットワークゲートウェイ）においてサポートされている「ＰＭＩＰｖ６（所定プロトコル）」のバージョンに係る情報を取得する工程Ａと、ＭＭＥ又はＳＧＳＮが、かかる「ＰＭＩＰｖ６」のバージョンに係る情報に基づいて、ＵＥ（移動局）のＰＤＮコネクション（パケットデータネットワークコネクション）を確立するＳ-ＧＷ及びＰ-ＧＷを選択する工程Ｂと、ＭＭＥ又はＳＧＳＮが、選択したＳ-ＧＷに対して、選択したＳ-ＧＷと選択したＰ-ＧＷとの間でＵＥのＰＤＮコネクションを確立することを要求する「Ｃｒｅａｔｅ  Ｓｅｓｓｉｏｎ  Ｒｅｑｕｅｓｔ（セッション生成要求信号）」を送信する工程Ｃとを有し、「Ｃｒｅａｔｅ  Ｓｅｓｓｉｏｎ  Ｒｅｑｕｅｓｔ」は、ＵＥのＰＤＮコネクションを確立する際に用いる「ＰＭＩＰｖ６」のバージョンに係る情報を含むことを要旨とする。
【０１７３】
本実施形態の第２の特徴は、移動通信方法であって、ＭＭＥが、Ｓ-ＧＷ及びＰ-ＧＷにおいてサポートされている「ＰＭＩＰｖ６」のバージョンに係る情報を取得する工程Ａと、ＭＭＥが、「ＰＭＩＰｖ６」のバージョンに係る情報に基づいて、ＵＥの切り替え先のＳ-ＧＷを選択する工程Ｂと、ＭＭＥが、切り替え先のＳ-ＧＷに対して、かかる切り替え先のＳ-ＧＷとＰ-ＧＷとの間でＵＥのＰＤＮコネクションを確立することを要求する「Ｃｒｅａｔｅ  Ｓｅｓｓｉｏｎ  Ｒｅｑｕｅｓｔ」を送信する工程Ｃとを有し、「Ｃｒｅａｔｅ  Ｓｅｓｓｉｏｎ  Ｒｅｑｕｅｓｔ」は、ＵＥのＰＤＮコネクションを確立する際に用いる「ＰＭＩＰｖ６」のバージョンに係る情報を含むことを要旨とする。
【０１７４】
本実施形態の第１及び第２の特徴において、工程Ａにおいて、ＭＭＥは、ＤＮＳサーバから、上述の「ＰＭＩＰｖ６」のバージョンに係る情報を取得してもよい。
【０１７５】
本実施形態の第１及び第２の特徴において、工程Ａにおいて、ＭＭＥは、ノード間死活監視信号によって、上述の「ＰＭＩＰｖ６」のバージョンに係る情報を取得してもよい。
【０１７６】
本実施形態の第３の特徴は、ＭＭＥであって、Ｓ-ＧＷ及びＰ-ＧＷにおいてサポートされている「ＰＭＩＰｖ６」のバージョンに係る情報を取得するように構成されている受信部１２と、かかる「ＰＭＩＰｖ６」のバージョンに係る情報に基づいて、ＵＥのＰＤＮコネクションを確立するＳ-ＧＷ及びＰ-ＧＷを選択するように構成されている選択部１３と、選択したＳ-ＧＷに対して、選択したＳ-ＧＷと選択したＰ-ＧＷとの間でＵＥのＰＤＮコネクションを確立することを要求する「Ｃｒｅａｔｅ  Ｓｅｓｓｉｏｎ  Ｒｅｑｕｅｓｔ」を送信するように構成されている送信部１１とを具備し、「Ｃｒｅａｔｅ  Ｓｅｓｓｉｏｎ  Ｒｅｑｕｅｓｔ」は、ＵＥのＰＤＮコネクションを確立する際に用いる「ＰＭＩＰｖ６」のバージョンに係る情報を含むことを要旨とする。
【０１７７】
本実施形態の第４の特徴は、ＭＭＥであって、Ｓ-ＧＷ及びＰ-ＧＷにおいてサポートされている「ＰＭＩＰｖ６」のバージョンに係る情報を取得するように構成されている受信部１２と、かかる「ＰＭＩＰｖ６」のバージョンに係る情報に基づいて、ＵＥの切り替え先のＳ-ＧＷを選択するように構成されている選択部１３と、切り替え先のＳ-ＧＷに対して、切り替え先のＳ-ＧＷとＰ-ＧＷとの間でＵＥのＰＤＮコネクションを確立することを要求する「Ｃｒｅａｔｅ  Ｓｅｓｓｉｏｎ  Ｒｅｑｕｅｓｔ」を送信するように構成されている送信部１１とを具備し、「Ｃｒｅａｔｅ  Ｓｅｓｓｉｏｎ  Ｒｅｑｕｅｓｔ」は、ＵＥのＰＤＮコネクションを確立する際に用いる「ＰＭＩＰｖ６」のバージョンに係る情報を含むことを要旨とする。
【０１７８】
本実施形態の第５の特徴は、ＳＧＳＮであって、Ｓ-ＧＷ及びＰ-ＧＷにおいてサポートされている「ＰＭＩＰｖ６」のバージョンに係る情報を取得するように構成されている受信部１２と、かかる「ＰＭＩＰｖ６」のバージョンに係る情報に基づいて、ＵＥのＰＤＮコネクションを確立するＳ-ＧＷ及びＰ-ＧＷを選択するように構成されている選択部１３と、選択したＳ-ＧＷに対して、選択したＳ-ＧＷと選択したＰ-ＧＷとの間でＵＥのＰＤＮコネクションを確立することを要求する「Ｃｒｅａｔｅ  Ｓｅｓｓｉｏｎ  Ｒｅｑｕｅｓｔ」を送信するように構成されている送信部１１とを具備し、「Ｃｒｅａｔｅ  Ｓｅｓｓｉｏｎ  Ｒｅｑｕｅｓｔ」は、ＵＥのＰＤＮコネクションを確立する際に用いる「ＰＭＩＰｖ６」のバージョンに係る情報を含むことを要旨とする。
【０１７９】
本実施形態の第６の特徴は、ＳＧＳＮであって、Ｓ-ＧＷ及びＰ-ＧＷにおいてサポートされている「ＰＭＩＰｖ６」のバージョンに係る情報を取得するように構成されている受信部１２と、かかる「ＰＭＩＰｖ６」のバージョンに係る情報に基づいて、ＵＥの切り替え先のＳ-ＧＷを選択するように構成されている選択部１３と、切り替え先のＳ-ＧＷに対して、切り替え先のＳ-ＧＷとＰ-ＧＷとの間でＵＥのＰＤＮコネクションを確立することを要求する「Ｃｒｅａｔｅ  Ｓｅｓｓｉｏｎ  Ｒｅｑｕｅｓｔ」を送信するように構成されている送信部１１とを具備し、「Ｃｒｅａｔｅ  Ｓｅｓｓｉｏｎ  Ｒｅｑｕｅｓｔ」は、ＵＥのＰＤＮコネクションを確立する際に用いる「ＰＭＩＰｖ６」のバージョンに係る情報を含むことを要旨とする。
【０１８０】
本実施形態の第３乃至第６の特徴において、受信部１２は、ＤＮＳサーバから、上述の「ＰＭＩＰｖ６」のバージョンに係る情報を取得するように構成されていてもよい。
【０１８１】
本実施形態の第３乃至第６の特徴において、受信部１２は、ノード間死活監視信号によって、上述の「ＰＭＩＰｖ６」のバージョンに係る情報を取得するように構成されていてもよい。
【０１８２】
なお、上述のＵＥやｅＮｏｄｅＢやＮｏｄｅＢやＲＮＣやＭＭＥやＳＧＳＮやＳ-ＧＷやＰ-ＧＷやＤＮＳサーバやＨＳＳやＥＩＲやＰＣＲＦ等の動作は、ハードウェアによって実施されてもよいし、プロセッサによって実行されるソフトウェアモジュールによって実施されてもよいし、両者の組み合わせによって実施されてもよい。
【０１８３】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１８４】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮｏｄｅＢやＮｏｄｅＢやＲＮＣやＭＭＥやＳＧＳＮやＳ-ＧＷやＰ-ＧＷやＤＮＳサーバやＨＳＳやＥＩＲやＰＣＲＦ等内に設けられていてもよい。また、かかる記憶媒体及びプロセッサは、ディスクリートコンポーネントとしてＵＥやｅＮｏｄｅＢやＮｏｄｅＢやＲＮＣやＭＭＥやＳＧＳＮやＳ-ＧＷやＰ-ＧＷやＤＮＳサーバやＨＳＳやＥＩＲやＰＣＲＦ等内に設けられていてもよい。
【０１８５】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１８６】
ＵＥ…移動局
ｅＮｏｄｅＢ、ＮｏｄｅＢ…無線基地局
ＲＮＣ…無線回線制御局
ＭＭＥ…移動管理ノード
ＳＧＳＮ…パケット交換機
Ｐ-ＧＷ…パケットデータネットワークゲートウェイ
Ｓ-ＧＷ…サービングゲートウェイ
ＤＮＳ…ドメインネームサーバ
ＨＳＳ…加入者情報管理サーバ
ＰＣＲＦ…ポリシー及び課金ルールサーバ
ＥＩＲ…装置識別情報登録サーバ
１１…送信部
１２…受信部
１３…選択部
【図１】
2012227664.tif 000003
【図２】
2012227664.tif 000004
【図３】
2012227664.tif 000005
【図４】
2012227664.tif 000006
【図５】
2012227664.tif 000007
【図６】
2012227664.tif 000008
【図７】
2012227664.tif 000009
【図８】
2012227664.tif 000010
【図９】
2012227664.tif 000011
【図１０】
2012227664.tif 000012